【手続補正書】
【提出日】平成26年2月20日(2014.2.20)
【手続補正１】
【補正対象書類名】特許請求の範囲
【補正対象項目名】全文
【補正方法】変更
【補正の内容】
【特許請求の範囲】
【請求項１】
情報端末から検索条件として受信した文字列情報に基づいて、検索地域範囲を決定する検索地域範囲決定手順と、
上記検索地域範囲決定手順により決定された上記検索地域範囲に基づいて地図情報を取得する地図情報取得手順と、
上記検索地域範囲決定手順により決定された上記検索地域範囲に基づいて位置情報が関連付けられた画像データを取得する画像データ取得手順と、
上記地図情報取得手順により取得された地図情報と、上記画像データ取得手順により取得された画像データを、上記情報端末の表示手段上に表示するための表示用データを生成する表示用データ生成手順と、
上記表示用データを上記情報端末に送信する送信手順と、を実行し、
上記表示用データが送信された後に、上記情報端末から検索地域範囲情報を受信した場合には、
上記検索地域範囲決定手順により決定された検索地域範囲を上記情報端末から受信した検索地域範囲情報に対応する検索範囲とする
検索方法。
【請求項２】
上記情報端末から受信される上記検索地域範囲情報は、上記表示用データに基づいて上記情報端末上に表示される地図画像に対し、画像を検索する地域範囲の拡大又は縮小を指示する操作に基づく検索地域範囲情報である
請求項１の検索方法。
【請求項３】
上記情報端末から受信される検索地域範囲情報は、上記表示用データについての座標に対応する情報である
請求項１の検索方法。
【請求項４】
上記情報端末から受信される検索地域範囲情報は、上記表示用データに基づいて上記情報端末上に表示される地図画像についての座標に対応する情報である
請求項３の検索方法。
【請求項５】
上記情報端末から受信される検索地域範囲情報に含まれる上記地図画像についての座標に対応する情報を位置情報に変換する変換手順を含み、
上記変換された検索地域範囲情報を上記検索地域範囲決定手順で用いる検索地域範囲とする
請求項４の検索方法。
【請求項６】
上記表示用データは、上記文字列情報に対応する基準位置の情報を含み、
上記基準位置の情報は上記表示用データに基づいて上記情報端末上に表示される地図画像上に表示される
請求項１の検索方法。
【請求項７】
上記検索地域範囲決定手順は、上記情報端末から受信した上記文字列情報の分類に基づいて上記検索地域範囲を決定する
請求項１の検索方法。
【請求項８】
上記表示用データは上記画像データ取得手順により取得された画像データのサムネイル画像を含む
請求項１の検索方法。
【請求項９】
上記表示用データは上記画像データ取得手順により取得された画像データへのリンク情報を含む
請求項１の検索方法。
【請求項１０】
情報端末から検索条件として受信した文字列情報に基づいて、検索地域範囲を決定する検索地域範囲決定手段と、
上記検索地域範囲決定手段により決定された上記検索地域範囲に基づいて地図情報を取得する地図情報取得手段と、
上記検索地域範囲決定手段により決定された上記検索地域範囲に基づいて位置情報が関連付けられた画像データを取得する画像データ取得手段と、
上記地図情報取得手段により取得された地図情報と、上記画像データ取得手段により取得された画像データを、上記情報端末の表示手段上に表示するための表示用データを生成する表示用データ生成手段と、
上記表示用データを上記情報端末に送信する送信手段とを備え、
上記表示用データが送信された後に、上記情報端末から検索地域範囲情報を受信した場合には、
上記検索地域範囲決定手段は上記検索地域範囲を上記情報端末から受信した検索地域範囲情報に対応する検索範囲とする
検索装置。
【請求項１１】
情報端末から検索条件として受信した文字列情報に基づいて、検索地域範囲を決定する検索地域範囲決定手順と、
上記検索地域範囲決定手順により決定された上記検索地域範囲に基づいて地図情報を取得する地図情報取得手順と、
上記検索地域範囲決定手順により決定された上記検索地域範囲に基づいて位置情報が関連付けられた画像データを取得する画像データ取得手順と、
上記地図情報取得手順により取得された地図情報と、上記画像データ取得手順により取得された画像データを、上記情報端末の表示手段上に表示するための表示用データを生成する表示用データ生成手順と、
上記表示用データを上記情報端末に送信する送信手順とを実行し、
上記表示用データが送信された後に、上記情報端末から検索地域範囲情報を受信した場合には、
上記検索地域範囲決定手順により決定された検索地域範囲を上記情報端末から受信した検索地域範囲情報に対応する検索範囲とする検索方法を検索装置に実行させる
プログラム。
【請求項１２】
検索条件として入力された文字列情報を検索装置に送信する送信手順と、
検索装置から上記文字列情報に基づき決定される検索地域範囲に応じて取得された表示データである、地図情報と画像データとを受信する受信手順と、
表示手段に上記表示データを表示する表示手順と、
上記表示データの検索地域範囲が変更された場合には、上記変更に応じた検索地域範囲情報を検索装置に新たな検索条件として送信する送信手順と、を実行する
検索条件設定方法。
【請求項１３】
上記検索地域範囲の変更は、該検索地域範囲の拡大又は縮小である
請求項１２の検索条件設定方法。
【請求項１４】
上記検索地域範囲情報は、上記表示用データについての座標に対応する情報である
請求項１２の検索条件設定方法。
【請求項１５】
上記検索地域範囲情報は、上記表示用データに基づいて表示手段に表示される地図画像についての座標に対応する情報である
請求項１４の検索条件設定方法。
【請求項１６】
上記表示用データは、上記文字列情報に対応する基準位置の情報を含み、
上記基準位置の情報は上記表示データに基づいて上記表示手段に表示される地図画像上に表示される
請求項１２の検索条件設定方法。
【請求項１７】
上記表示用データは画像データのサムネイル画像を含む
請求項１２の検索条件設定方法。
【請求項１８】
検索条件として入力された文字列情報を検索装置に送信する送信手段と、
検索装置から上記文字列情報に基づき決定される検索地域範囲に応じて取得された表示データである、地図情報と画像データとを受信する受信手段と、
表示手段に上記表示データを表示する表示制御手段とを備え、
上記入力手段により上記検索地域範囲は可変可能とされ、上記可変後の検索地域範囲を上記送信手段により上記検索装置に送信する  
情報端末装置。
【請求項１９】
検索条件として入力された文字列情報を検索装置に送信する送信手順と、
検索装置から上記文字列情報に基づき決定される検索地域範囲に応じて取得された表示データである、地図情報と画像データとを受信する受信手順と、
表示手段に上記表示データを表示する表示手順と、
上記表示データの検索地域範囲が変更された場合には、上記変更に応じた検索地域範囲情報を検索装置に新たな検索条件として送信する送信手順と、を情報端末装置に実行させる
プログラム。
【手続補正２】
【補正対象書類名】明細書
【補正対象項目名】発明の名称
【補正方法】変更
【補正の内容】
【発明の名称】検索方法、検索装置、プログラム、検索条件設定方法、情報端末装置
【手続補正３】
【補正対象書類名】明細書
【補正対象項目名】０００５
【補正方法】変更
【補正の内容】
【０００５】
このために、本発明としては検索方法として次の手順を実行することとした。
つまり、情報端末から検索条件として受信した文字列情報に基づいて、検索地域範囲を決定する検索地域範囲決定手順と、上記検索地域範囲決定手順により決定された上記検索地域範囲に基づいて地図情報を取得する地図情報取得手順と、上記検索地域範囲決定手順により決定された上記検索地域範囲に基づいて位置情報が関連付けられた画像データを取得する画像データ取得手順と、上記地図情報取得手順により取得された地図情報と、上記画像データ取得手順により取得された画像データを、上記情報端末の表示手段上に表示するための表示用データを生成する表示用データ生成手順と、上記表示用データを上記情報端末に送信する送信手順と、を実行し、上記表示用データが送信された後に、上記情報端末から検索地域範囲情報を受信した場合には、上記検索地域範囲決定手順により決定された検索地域範囲を上記情報端末から受信した検索地域範囲情報に対応する検索範囲とすることとした。